(57)【特許請求の範囲】
【請求項１】
液体供給口と液体放射口とを有する本体と、
前記本体の内部において、前記液体供給口と前記液体放射口との間に形成される流路と、
前記流路に設けられるバルブと、
前記バルブの開閉操作を行う操作ハンドルと、
を備え、
前記操作ハンドルが開操作されて前記バルブが開状態になると、前記流路が開通して前記液体放射口からの液体の放射が行われ、前記操作ハンドルが閉操作されて前記バルブが閉状態になると、前記流路が閉塞して前記液体放射口からの液体の放射が停止されるハンドシャワーガンにおいて、
前記本体の内部の前記流路には、前記操作ハンドルが閉操作されて前記バルブが閉状態になるときに作動するウォーターハンマー低減機構が設けられており、
前記流路は、前記液体供給口と前記バルブとの間に形成される第１の流路と、前記バルブと前記液体放射口との間に形成される第２の流路と、前記バルブを介さずに前記第１の流路と前記第２の流路とを接続する第３の流路とを含み、
前記ウォーターハンマー低減機構は、前記第３の流路に設けられる圧力逃がし弁であり、
前記圧力逃がし弁は、前記操作ハンドルが閉操作されて前記バルブが閉状態になったときに、前記第１の流路の内部で上昇した液体圧により開状態になり、前記第１の流路と前記第２の流路とが開通することを特徴とするハンドシャワーガン。
【請求項２】
前記圧力逃がし弁は、付勢部材により閉状態を保持するように構成されており、
前記付勢部材による付勢圧力は、前記第１の流路の内部の通常時の液体圧より高く、前記流路にウォーターハンマー現象による破損が発生する破損発生圧より低い、請求項１に記載のハンドシャワーガン。
【請求項３】
前記ハンドシャワーガンは、
前記バルブに設けられ、前記バルブの開閉動作に連動してスライド移動するピストンと、
前記ピストンが収納されるシリンダ室と、
を備え、
前記流路は、前記液体供給口と前記バルブとの間に形成される第１の流路と、前記バルブと前記液体放射口との間に形成される第２の流路と、前記第１の流路と前記シリンダ室とを接続する第４の流路とを含み、
前記第４の流路の流体抵抗は、前記第１の流路の流体抵抗より大きい、請求項１に記載のハンドシャワーガン。
【請求項４】
前記第４の流路には、前記第４の流路の流体抵抗を調整する流体抵抗調整部が設けられている、請求項３に記載のハンドシャワーガン。
【請求項５】
前記シリンダ室は、前記操作ハンドルが開操作されて前記バルブが開状態になるときに前記ピストンがスライド移動するためのエリアである第１のエリアと、前記ピストンを挟んで前記第１エリアの反対側のエリアである第２のエリアとを含み、
前記シリンダ室には、前記第１のエリアと前記第２のエリアを接続する第５の流路が備えられ、
前記第５の流路には、チェッキ弁が設けられており、
前記チェッキ弁は、前記操作ハンドルが開操作されて前記バルブが開状態になるときに、前記第１のエリアの内部で上昇した液体圧により開状態になり、前記第１のエリアと前記第２のエリアとが開通する、請求項３または請求項４に記載のハンドシャワーガン。
【請求項６】
液体供給口と前記液体放射口との間に流路が形成され、前記流路に設けられたバルブが閉状態になるときに作動するウォーターハンマー低減機構であって、
前記流路は、前記液体供給口と前記バルブとの間に形成される第１の流路と、前記バルブと前記液体放射口との間に形成される第２の流路と、前記バルブを介さずに前記第１の流路と前記第２の流路とを接続する第３の流路とを含み、
前記ウォーターハンマー低減機構は、前記第３の流路に設けられる圧力逃がし弁であり、
前記圧力逃がし弁は、前記バルブが閉状態になったときに、前記第１の流路の内部で上昇した液体圧により開状態になり、前記第１の流路と前記第２の流路とが開通することを特徴とするウォーターハンマー低減機構。
【請求項７】
液体供給口と前記液体放射口との間に流路が形成され、前記流路に設けられたバルブが閉状態になるときに作動するウォーターハンマー低減機構であって、
前記バルブには、シリンダ室に収納され、前記バルブの開閉動作に連動してスライド移動するピストンが設けられ、
前記流路は、前記液体供給口と前記バルブとの間に形成される第１の流路と、前記バルブと前記液体放射口との間に形成される第２の流路と、前記第１の流路と前記シリンダ室とを接続する第４の流路とを含み、
前記第４の流路の流体抵抗は、前記第１の流路の流体抵抗より大きいことを特徴とするウォーターハンマー低減機構。
【発明の詳細な説明】
【技術分野】
【０００１】
本発明は、ウォーターハンマー現象によるダメージを低減する機能を備えたハンドシャワーガンに関する。
【背景技術】
【０００２】
半導体基板（ウエハ）を研磨する基板研磨装置では、基板の研磨に用いた研磨液が、研磨部の構成部品や研磨チャンバの内面・天井に付着することがあり得る。それをそのまま放置しておくと、付着した研磨液が乾燥し堆積を繰り返した結果、やがてそれが剥がれて基板の上に落下したり研磨パッドの研磨面に付着して、研磨中に基板にスクラッチを発生させる要因となるおそれがある。
【０００３】
そこで従来、基板研磨装置にハンドシャワーを設けて（例えば特許文献１参照）、定期的に（望ましくは研磨液が乾燥する前に）、研磨部の構成部品や研磨チャンバの内壁・天井に付着した研磨液を純水（超純水）で手動洗浄していた。
【先行技術文献】
【特許文献】
【０００４】
【特許文献１】特開平９−２９６３７号公報
【発明の概要】
【発明が解決しようとする課題】
【０００５】
しかしながら、従来のハンドシャワーは、操作レバー（ハンドル）を手動で操作することにより放水の開始・停止を行うように構成されているが、放水を停止した際に発生するウォーターハンマー現象については何ら対策が講じされていなかった。一方で、半導体基板を処理する装置には、極めて高いレベル（クラス）の清浄度管理が要求され、例えば、ハンドシャワーはプラスチック製とされ、その配管（純水供給チューブ）も禁油品で構成されるため、圧力耐久性を高くするのにも限界がある。そのため、放水を停止した際に、ウォーターハンマー現象によりハンドシャワーやその配管（純水供給チューブ）がダメージを受けるおそれがあるという問題があった。
【０００６】
本発明は、上記の課題に鑑みてなされたもので、ウォーターハンマー現象によるダメージを低減することのできるハンドシャワーガンを提供することを目的とする。
【課題を解決するための手段】
【０００７】
本発明のハンドシャワーガンは、液体供給口と液体放射口とを有する本体と、前記本体の内部において、前記液体供給口と前記液体放射口との間に形成される流路と、前記流路に設けられるバルブと、前記バルブの開閉操作を行う操作ハンドルと、を備え、前記操作ハンドルが開操作されて前記バルブが開状態になると、前記流路が開通して前記液体放射口からの液体の放射が行われ、前記操作ハンドルが閉操作されて前記バルブが閉状態になると、前記流路が閉塞して前記液体放射口からの液体の放射が停止されるハンドシャワーガンにおいて、前記本体の内部の前記流路には、前記操作ハンドルが閉操作されて前記バルブが閉状態になるときに作動するウォーターハンマー低減機構が設けられている。
【０００８】
この構成により、ハンドシャワーガンの液体放射口からの液体の放射を停止させる場合、操作ハンドルを閉操作してバルブが閉状態になるときに、ウォーターハンマー低減機構が作動する。これにより、ウォーターハンマー現象によるハンドシャワーガンの本体の内部の流路へのダメージを低減することができる。
【０００９】
また、本発明のハンドシャワーガンでは、前記流路は、前記液体供給口と前記バルブとの間に形成される第１の流路と、前記バルブと前記液体放射口との間に形成される第２の流路と、前記バルブを介さずに前記第１の流路と前記第２の流路とを接続する第３の流路とを含み、前記ウォーターハンマー低減機構は、前記第３の流路に設けられる圧力逃がし弁であり、前記圧力逃がし弁は、前記操作ハンドルが閉操作されて前記バルブが閉状態になったときに、前記第１の流路の内部で上昇した液体圧により開状態になり、前記第１の流路と前記第２の流路とが開通してもよい。
【００１０】
この構成により、操作ハンドルが閉操作されてバルブが閉状態になったときに、第１の流路の内部の液体圧により圧力逃がし弁が開状態になり、第１の流路と第２の流路が第３の流路を介して開通し、第１の流路の内部の液体圧が過度に上昇するのを防ぐことができる。これにより、ウォーターハンマー現象による流路へのダメージを低減することができる。
【００１１】
また、本発明のハンドシャワーガンでは、前記圧力逃がし弁は、付勢部材により閉状態を保持するように構成されており、前記付勢部材による付勢圧力は、前記第１の流路の内部の通常時の液体圧より高く、前記流路にウォーターハンマー現象による破損が発生する破損発生圧より低くてもよい。
【００１２】
この構成により、圧力逃がし弁の付勢圧力が破損発生圧より低いので、ウォーターハンマー現象により流路に破損が発生するのを防ぐことができる。また、この場合、圧力逃がし弁の付勢圧力が第１の流路の内部の通常時の液体圧より高いので、バルブが閉状態になっている通常時（ウォーターハンマー現象が発生していない時）に、圧力逃がし弁が開状態になって第１の流路と第２の流路が開通し、液体放射口から液体が放射される（漏れる）のを防ぐことができる。
【００１３】
また、本発明のハンドシャワーガンでは、前記ハンドシャワーガンは、前記バルブに設けられ、前記バルブの開閉動作に連動してスライド移動するピストンと、前記ピストンが収納されるシリンダ室と、を備え、前記流路は、前記液体供給口と前記バルブとの間に形成される第１の流路と、前記バルブと前記液体放射口との間に形成される第２の流路と、前記第１の流路と前記シリンダ室とを接続する第４の流路とを含み、前記第４の流路の流体抵抗は、前記第１の流路の流体抵抗より大きくてもよい。
【００１４】
この構成により、操作ハンドルが閉操作されてバルブが閉状態になるときに、ピストンのスライド移動に伴って第４の流路からシリンダ室へ液体が流入することになるが、この場合、第４の流路の流体抵抗が第１の流路の流体抵抗より大きいので、シリンダ室へ液体が流入する速度（単位時間あたりの流入量）が小さくなる。そのため、ピストンのスライド移動の速度も小さくなり、バルブが閉まる速度も小さくなる。このように、バルブの閉まる速度を小さくすることにより、バルブが閉状態になったときに第１の流路の内部の液体圧が過度に上昇するのを防ぐことができる。これにより、ウォーターハンマー現象による流路へのダメージを低減することができる。なお、この場合、ウォーターハンマー低減機構として、第４の流路の流体抵抗が第１の流路の流体抵抗より大きい、という構成を採用しているともいえる。
【００１５】
また、本発明のハンドシャワーガンでは、前記第４の流路には、前記第４の流路の流体抵抗を調整する流体抵抗調整部が設けられてもよい。
【００１６】
この構成により、第４の流路の流体抵抗を調整することができるので、ピストンの移動速度（すなわち、バルブの閉まる速度）を適切に調整することが可能になる。
【００１７】
また、本発明のハンドシャワーガンでは、前記シリンダ室は、前記操作ハンドルが開操作されて前記バルブが開状態になるときに前記ピストンがスライド移動するためのエリアである第１のエリアと、前記ピストンを挟んで前記第１エリアの反対側のエリアである第２のエリアとを含み、前記シリンダ室には、前記第１のエリアと前記第２のエリアを接続する第５の流路が備えられ、前記第５の流路には、チェッキ弁が設けられており、前記チェッキ弁は、前記操作ハンドルが開操作されて前記バルブが開状態になるときに、前記第１のエリアの内部で上昇した液体圧により開状態になり、前記第１のエリアと前記第２のエリアとが開通してもよい。
【００１８】
この構成により、操作ハンドルを開操作してバルブを開状態にするときに、シリンダ室の第１のエリアの内部の液体圧によりチェッキ弁が開状態になり、第１のエリアと第２のエリアが第５の流路を介して開通し、第１のエリアから第２のエリアへ液体が移動できるようになる。これにより、ピストンのスライド移動が液体圧により妨げられることがなくなり、ピストンを円滑にスライド移動させることができるようになる。したがって、操作ハンドルの開操作を円滑に行うことが可能になる。
【００１９】
本発明のウォーターハンマー低減機構は、液体供給口と前記液体放射口との間に流路が形成され、前記流路に設けられたバルブが閉状態になるときに作動するウォーターハンマー低減機構であって、前記流路は、前記液体供給口と前記バルブとの間に形成される第１の流路と、前記バルブと前記液体放射口との間に形成される第２の流路と、前記バルブを介さずに前記第１の流路と前記第２の流路とを接続する第３の流路とを含み、前記ウォーターハンマー低減機構は、前記第３の流路に設けられる圧力逃がし弁であり、前記圧力逃がし弁は、前記バルブが閉状態になったときに、前記第１の流路の内部で上昇した液体圧により開状態になり、前記第１の流路と前記第２の流路とが開通する。
【００２０】
このウォーターハンマー低減機構によっても、上記のハンドシャワーガンと同様に、バルブが閉状態になったときに、第１の流路の内部の液体圧により圧力逃がし弁が開状態になり、第１の流路と第２の流路が第３の流路を介して開通し、第１の流路の内部の液体圧が過度に上昇するのを防ぐことができる。これにより、ウォーターハンマー現象による流路へのダメージを低減することができる。
【００２１】
本発明のウォーターハンマー低減機構は、液体供給口と前記液体放射口との間に流路が形成され、前記流路に設けられたバルブが閉状態になるときに作動するウォーターハンマー低減機構であって、前記バルブには、シリンダ室に収納され、前記バルブの開閉動作に連動してスライド移動するピストンが設けられ、前記流路は、前記液体供給口と前記バルブとの間に形成される第１の流路と、前記バルブと前記液体放射口との間に形成される第２の流路と、前記第１の流路と前記シリンダ室とを接続する第４の流路とを含み、前記第４の流路の流体抵抗は、前記第１の流路の流体抵抗より大きい。
【００２２】
このウォーターハンマー低減機構によっても、上記のハンドシャワーガンと同様に、バルブが閉状態になるときに、ピストンのスライド移動に伴って第４の流路からシリンダ室へ液体が流入することになるが、この場合、第４の流路の流体抵抗が第１の流路の流体抵抗より大きいので、シリンダ室へ液体が流入する速度（単位時間あたりの流入量）が小さくなる。そのため、ピストンのスライド移動の速度も小さくなり、バルブが閉まる速度も小さくなる。このように、バルブの閉まる速度を小さくすることにより、バルブが閉状態になったときに第１の流路の内部の液体圧が過度に上昇するのを防ぐことができる。これにより、ウォーターハンマー現象による流路へのダメージを低減することができる。
【発明の効果】
【００２３】
本発明によれば、ウォーターハンマー現象によるダメージを低減することができる。
【図面の簡単な説明】
【００２４】
【図１】本発明の実施の形態における基板処理装置の全体構成を示す平面図である。
【図２】本発明の実施の形態における基板処理装置の研磨部の純水供給配管を示す模式図である。
【図３】本発明の実施の形態における基板処理装置の研磨部の平面図である。
【図４】本発明の実施の形態におけるハンドシャワーガン（収納状態）の説明図である。
【図５】本発明の第１の実施の形態におけるハンドシャワーガンの説明図である。
【図６】本発明の第１の実施の形態におけるハンドシャワーガン（放水時）の説明図である。
【図７】本発明の第１の実施の形態におけるハンドシャワーガン（放水停止時）の説明図である。
【図８】本発明の第１の実施の形態の変形例のアトマイザの説明図である。
【図９】本発明の第２の実施の形態におけるハンドシャワーガンの説明図である。
【図１０】本発明の第２の実施の形態におけるハンドシャワーガン（放水時）の説明図である。
【図１１】本発明の第２の実施の形態におけるハンドシャワーガン（放水停止時）の説明図である。
【図１２】本発明の第２の実施の形態の変形例のアトマイザの説明図である。
【図１３】本発明の第３の実施の形態におけるハンドシャワーガンの説明図である。
【図１４】本発明の第３の実施の形態におけるハンドシャワーガン（放水時）の説明図である。
【図１５】本発明の第３の実施の形態におけるハンドシャワーガン（放水停止時）の説明図である。
【図１６】本発明の第３の実施の形態の変形例のアトマイザの説明図である。
【発明を実施するための形態】
【００２５】
以下、本発明の実施の形態のハンドシャワーガンについて、図面を用いて説明する。本実施の形態では、基板処理装置（例えば基板研磨装置）等に用いられるハンドシャワーガンの場合を例示する。なお、同一または相当する構成要素には、同一の符号を付して重複した説明を省略する。
【００２６】
（第１の実施の形態）
図１は、本発明の実施の形態の基板処理装置（基板研磨装置）の全体構成を示す平面図である。図１に示すように、この基板処理装置は、略矩形状のハウジング１を備えており、ハウジング１の内部は隔壁１ａ，１ｂによってロード／アンロード部２と研磨部３と洗浄部４とに区画されている。これらのロード／アンロード部２、研磨部３、および洗浄部４は、それぞれ独立に組み立てられ、独立に排気される。また、基板処理装置は、基板処理動作を制御する制御部５を有している。
【００２７】
研磨部３は、ウェハの研磨（平坦化）が行われる領域であり、第１研磨ユニット３Ａ、第２研磨ユニット３Ｂ、第３研磨ユニット３Ｃ、第４研磨ユニット３Ｄを備えている。これらの第１研磨ユニット３Ａ、第２研磨ユニット３Ｂ、第３研磨ユニット３Ｃ、および第４研磨ユニット３Ｄは、図１に示すように、基板処理装置の長手方向に沿って配列されている。
【００２８】
図１に示すように、第１研磨ユニット３Ａは、研磨面を有する研磨パッド１０が取り付けられた研磨テーブル３０Ａと、ウェハを保持しかつウェハを研磨テーブル３０Ａ上の研磨パッド１０に押圧しながら研磨するためのトップリング３１Ａと、研磨パッド１０に研磨液やドレッシング液（例えば、純水）を供給するための研磨液供給ノズル３２Ａと、研磨パッド１０の研磨面のドレッシングを行うためのドレッサ３３Ａと、液体（例えば純水）と気体（例えば窒素ガス）の混合流体または液体（例えば純水）を霧状にして研磨面に噴射するアトマイザ３４Ａとを備えている。
【００２９】
アトマイザ３４Ａを設ける目的は、研磨パッド１０の研磨面に残留する研磨屑や砥粒などを高圧の流体により洗い流すことである。アトマイザ３４Ａの流体圧による研磨面の浄化と、機械的接触であるドレッサ３３Ａによる研磨面の目立て作業により、より好ましいドレッシング、すなわち研磨面の再生を達成することができる。通常は接触型のドレッサ（ダイヤモンドドレッサ等）によるドレッシングの後に、アトマイザによる研磨面の再生を行う場合が多い。
【００３０】
同様に、第２研磨ユニット３Ｂは、研磨パッド１０が取り付けられた研磨テーブル３０Ｂと、トップリング３１Ｂと、研磨液供給ノズル３２Ｂと、ドレッサ３３Ｂと、アトマイザ３４Ｂとを備えており、第３研磨ユニット３Ｃは、研磨パッド１０が取り付けられた研磨テーブル３０Ｃと、トップリング３１Ｃと、研磨液供給ノズル３２Ｃと、ドレッサ３３Ｃと、アトマイザ３４Ｃとを備えており、第４研磨ユニット３Ｄは、研磨パッド１０が取り付けられた研磨テーブル３０Ｄと、トップリング３１Ｄと、研磨液供給ノズル３２Ｄと、ドレッサ３３Ｄと、アトマイザ３４Ｄとを備えている。
【００３１】
図２は、研磨部３の純水供給配管を示す模式図である。この基板処理装置では、第１研磨ユニット３Ａと第２研磨ユニット３Ｂは１つのユニットとして第１研磨部３ａを構成しており、第３研磨ユニット３Ｃと第４研磨ユニット３Ｄは１つのユニットとして第２研磨部３ｂを構成している。第１研磨部３ａと第２研磨部３ｂとは互いに分割可能に構成されている。上述したように、研磨部３は、純水、空気、窒素ガスなどの種々の流体を使用する。例えば、図２に示すように、純水（ＤＩＷ）は、図示しない純水供給源から基板処理装置の純水供給管１１０に供給される。この純水供給管１１０は研磨部３の研磨ユニット３Ａ，３Ｂ，３Ｃ，３Ｄを通って延び、これら研磨ユニット３Ａ，３Ｂ，３Ｃ，３Ｄにそれぞれ設けられた分配制御部１１３に接続されている。
【００３２】
純水供給管１１０は第１研磨部３ａと第２研磨部３ｂとの間で分割されており、分割された純水供給管１１０の端部同士は図示しない連結機構により連結されている。各研磨ユニットで使用される純水の用途としては、トップリングの洗浄（例えば、トップリングの外周側面の洗浄、基板保持面の洗浄、リテーナリングの洗浄）、ウェハの搬送ハンドの洗浄（例えば、後述する第１および第２のリニアトランスポータの搬送ハンドの洗浄）、研磨されたウェハの洗浄、研磨パッドのドレッシング、ドレッサの洗浄（例えば、ドレッシング部材の洗浄）、ドレッサアームの洗浄、研磨液供給ノズルの洗浄、およびアトマイザによる研磨パッドの洗浄が挙げられる。
【００３３】
純水は純水供給管１１０を通って各分配制御部１１３に流入し、各分配制御部１１３により各ユースポイントに分配される。ユースポイントは、上述したトップリング洗浄用のノズルやドレッサ洗浄用のノズルなどの純水が使用される箇所である。純水は分配制御部１１３から研磨ユニット内に設けられた洗浄ノズル（例えば、上述したトップリング洗浄用のノズルやドレッサ洗浄用のノズル）などの末端機器に供給される。例えば、上述した研磨液供給ノズル３２Ａ〜Ｄの純水供給チューブ（図示せず）には、研磨ユニットごとの分配制御部１１３により調整された流量の純水が供給される。このように、分配制御部１１３は研磨ユニットごとに配置されているので、１つのヘッダから複数のパイプを介して各研磨ユニットに供給する従来の構造に比べて、パイプの本数を少なくすることができる。また、このことは、第１研磨部３ａと第２研磨部３ｂとの間のパイプを連結する連結機構が少なくなることを意味するので、構造がシンプルになるとともに、純水のリークのリスクが低減される。なお、アトマイザは多量の純水を必要とするので、図２に示すように、アトマイザ専用の純水供給管１１２を設けることが好ましい。
【００３４】
各分配制御部１１３は、トップリング洗浄用のノズル（図示せず）や純水供給チューブ（図示せず）などのユースポイントに連通するバルブボックス１１３ａと、バルブボックス１１３ａの上流側に設けられた圧力計１１３ｂと、この圧力計１１３ｂの上流側に設けられた流量レギュレータ１１３ｃとを備えている。バルブボックス１１３ａは、ユースポイントにそれぞれ連通する複数のパイプと、これらパイプにそれぞれ設けられるバルブとを有している。
【００３５】
圧力計１１３ｂは、バルブボックス１１３ａに送られる純水の圧力を測定し、流量レギュレータ１１３ｃは、圧力計１１３ｂの測定値が所定の値に維持されるよう純水の流量を調整する。このように、純水の流量の制御がそれぞれの研磨ユニットで行われるので、研磨ユニット間での純水の使用による影響を低減させ、安定した純水の供給が可能になる。したがって、ある研磨ユニットでの純水の流量が他の研磨ユニットでの純水の使用の影響により不安定になるという従来の構造における問題を解決することができる。なお、図２に示す例では、各研磨ユニットに流量レギュレータ１１３ｃが設けられているが、２つの研磨ユニットにつき１つの流量レギュレータ１１３ｃを配置してもよい。例えば、研磨ユニット３Ａ，３Ｂにそれぞれ設けられた２つのバルブボックス１１３ａの上流側に１組の圧力計１１３ｂおよび流量レギュレータ１１３ｃを設け、同様に、研磨ユニット３Ｃ，３Ｄにそれぞれ設けられた２つのバルブボックス１１３ａの上流側に１組の圧力計１１３ｂおよび流量レギュレータ１１３ｃを設けてもよい。
【００３６】
図２に示す例では、トップリング洗浄用のノズル（図示せず）や純水供給チューブ（図示せず）などのユースポイント用の純水供給管１１０とは別に、アトマイザ３４Ａ，３４Ｂ，３４Ｃ，３４Ｄ専用の純水供給管１１２が設けられている。純水供給管１１２は、アトマイザ３４Ａ，３４Ｂ，３４Ｃ，３４Ｄに接続され、アトマイザ３４Ａ，３４Ｂ，３４Ｃ，３４Ｄの上流側には、流量制御部１１４がそれぞれ設けられている。この流量制御部１１４は、純水供給管１１２から供給される純水の流量を調整し、その調整された流量の純水をアトマイザに送るように構成されている。
【００３７】
それぞれの流量制御部１１４は、上述した分配制御部１１３と同様に、バルブと、圧力計と、流量レギュレータとを有しており、これらの配置は分配制御部１１３における配置と同様である。制御部５は、流量制御部１１４の圧力計の測定値に基づき、所定の流量の純水が各アトマイザに供給されるように流量制御部１１４の流量レギュレータの動作を制御する。
【００３８】
図２に示すように、純水供給管１１０と純水供給管１１２とは、それぞれ独立して純水供給源に連結されており、独立した純水供給経路が確保されている。このような配置により、アトマイザでの純水の使用が他のユースポイントでの純水の流量に影響を与えることを防止することができる。
【００３９】
なお、図２は純水を供給する純水供給管１１０について説明しているが、図２に示す配管および分配制御部の配置は、エア、窒素ガス、スラリーなどの他の流体の供給管にも適用できる。例えば、複数種のスラリーを移送する複数のスラリー供給管を設け、これらのスラリー供給管に接続される分配制御部を研磨ユニットごとに設けることができる。各分配制御部は、研磨処理に応じて選択されたスラリーを上述した研磨液供給ノズルに供給する。分配制御部は研磨ユニットごとに設けられるので、研磨液供給ノズルに供給されるスラリーの種類を研磨ユニットごとに変えることができる。さらに、研磨液供給ノズルに供給されるスラリーの流量を分配制御部によって調整することができる。
【００４０】
図３は、本実施の形態における基板処理装置の研磨部３の平面図である。図３に示すように、研磨部３の研磨チャンバ３００の前側（図３における上側。図１の左側に対応する）には開閉可能なメンテナンス扉３１０が設けられており、メンテナンス扉３１０を開けることによって、研磨装置の外部から研磨部３のメンテナンスを行うことができる。そして、各研磨チャンバ３００内には、研磨装置のメンテナンス扉３１０に近い側の側面に、収納ボックス３０５が設けられている。そして、収納ボックス３０５には、研磨チャンバ３００内を洗浄するためのハンドシャワーガン４０が備えられている（図４参照）。
【００４１】
洗浄時に作業者は、ハンドシャワーガン４０を用いて研磨チャンバ３００の内部を洗浄する。図４に示すように、ハンドシャワーガン４０は、不使用時には研磨チャンバ３００内の壁面の収納ボックス３０５に収納される。
【００４２】
図５は、本実施の形態のハンドシャワーガン４０の説明図である。図５に示すように、ハンドシャワーガン４０は、液体供給口４１と液体放射口４２とを有する本体４３と、本体４３の内部において液体供給口４１と液体放射口４２との間に形成される流路４４と、流路４４に設けられるバルブ４５と、バルブ４５の開閉操作を行う操作ハンドル４６を備えている。そして、本体４３の内部の流路４４には、操作ハンドル４６が閉操作されてバルブ４５が閉状態になるときに作動するウォーターハンマー低減機構が設けられている。
【００４３】
操作ハンドル４６は、操作部４６０とハンドル摺動軸４６１と取付け部４６２を備えており、ハンドル摺動軸４６１は、取付け部４６２にハンドル移動方向（開閉方向。図５における左右方向）にスライド可能に取り付けられている。操作部４６０と取付け部４６２との間には、リターンスプリング４６３が取り付けられており、リターンスプリング４６３により操作部４６０は閉方向（図５における左方向）に付勢されている。また、ハンドル摺動軸４６１には、Ｏリングなどのシール部材４６４が取り付けられている。このシール部材４６４により、流路４４から液体（純水）が漏れないように構成されている。
【００４４】
また、操作ハンドル４６はハンドル摺動軸４６１を介してバルブ４５と連結しており、操作ハンドル４６はバルブ４５と連動するように構成されている。バルブ４５には、Ｏリングなどのシール部材４５０が取り付けられている。このシール部材４５０により、バルブ４５が閉状態のときに第１の流路４４Ａから第２の流路４４Ｂへ液体（純水）が流れないように構成されている。
【００４５】
なお、本実施の形態のハンドシャワーガン４０は、半導体用（純水精密洗浄用）である。そのため、ハンドシャワーガン４０はプラスチック製とされている。例えば、接液部（液体に接する部分）は、ポリプロピレンやフッ素ゴムなどを用いて製造され、金属イオンの溶出や錆の発生が防止されている。また、ハンドシャワーガン４０の本体４３の内部の流路４４や液体供給チューブ４７などの配管（本体４３の外部の配管）も禁油品で構成されている（図４参照）。
【００４６】
以下、本実施の形態のウォーターハンマー低減機構について、より具体的に説明する。ハンドシャワーガン４０の本体４３の内部に形成される流路４４は、液体供給口４１とバルブ４５との間に形成される第１の流路４４Ａと、バルブ４５と液体放射口４２との間に形成される第２の流路４４Ｂと、バルブ４５を介さずに第１の流路４４Ａと第２の流路４４Ｂとを接続する第３の流路４４Ｃとで構成されている。
【００４７】
本実施の形態のウォーターハンマー低減機構は、第３の流路４４Ｃに設けられる圧力逃がし弁４８である。圧力逃がし弁４８は、操作ハンドル４６が閉操作されてバルブ４５が閉状態になったときに、第１の流路４４Ａの内部で上昇した液体圧により開状態になり、第１の流路４４Ａと第２の流路４４Ｂとが開通するように構成されている。
【００４８】
この場合、圧力逃がし弁４８は、スプリング４９によりボール（弁体）５０を付勢して閉状態を保持するように構成されている。スプリング４９による付勢圧力（圧力逃がし弁４８の解放圧力）は、第１の流路４４Ａの内部の通常時の液体圧より高く設定されている。すなわち、圧力逃がし弁４８の解放圧力は、流路４４（配管）に供給される液体（純水）の供給圧力より高く設定されている。なお、圧力逃がし弁４８の解放圧力は、できるだけ供給圧力に近いほうが好ましく、例えば、供給圧力の１．０５倍〜１．２倍に設定される。
【００４９】
また、スプリング４９による付勢圧力（圧力逃がし弁４８の解放圧力）は、流路４４にウォーターハンマー現象による破損が発生する破損発生圧より低く設定されている。すなわち、圧力逃がし弁４８の解放圧力は、ウォーターハンマー現象が発生した時の配管内の最大圧力より低く設定されている。
【００５０】
図６は、操作ハンドル４６を開操作した状態のハンドシャワーガン４０の説明図であり、図７は、操作ハンドル４６を閉操作した状態のハンドシャワーガン４０の説明図である。図６に示すように、操作ハンドル４６が開操作されてバルブ４５が開状態になると、流路４４が開通して液体放射口４２からの液体（純水）の放射が行われる。
【００５１】
図７に示すように、操作ハンドル４６が閉操作されてバルブ４５が閉状態になると、流路４４が閉塞して液体放射口４２からの液体（純水）の放射が停止される。この場合、操作ハンドル４６が閉操作されてバルブ４５が閉状態になると、第１の流路４４Ａの内部の上昇した液体圧により、ボール（弁体）５０がスプリング４９の付勢圧力に抗して開方向（図７における左方向）に移動し、圧力逃がし弁４８が開状態になり、第１の流路４４Ａと第２の流路４４Ｂが第３の流路４４Ｃを介して開通する。
【００５２】
そして、第１の流路４４Ａと第２の流路４４Ｂが第３の流路４４Ｃを介して開通すると、第１の流路４４Ａの内部の液体圧が低下し、ボール（弁体）５０がスプリング４９の付勢圧力により閉方向（図７における右方向）に移動して、圧力逃がし弁４８が閉状態になる。
【００５３】
このような本発明の第１の実施の形態のハンドシャワーガン４０によれば、ハンドシャワーガン４０の液体放射口４２からの液体（純水）の放射を停止させる場合、操作ハンドル４６を閉操作してバルブ４５が閉状態になるときに、ウォーターハンマー低減機構が作動する。これにより、ウォーターハンマー現象によるハンドシャワーガン４０の流路４４（本体４３の内部の流路４４、本体４３の外部の配管）へのダメージを低減することができ、長寿命化を図ることができる。
【００５４】
本実施の形態では、操作ハンドル４６が閉操作されてバルブ４５が閉状態になったときに、第１の流路４４Ａの内部の液体圧により圧力逃がし弁４８が開状態になり、第１の流路４４Ａと第２の流路４４Ｂが第３の流路４４Ｃを介して開通し、第１の流路４４Ａの内部の液体圧が過度に上昇するのを防ぐことができる。これにより、ウォーターハンマー現象による流路４４（本体４３の内部の流路４４、本体４３の外部の配管）へのダメージを低減することができる。
【００５５】
また、本実施の形態では、圧力逃がし弁４８の付勢圧力が破損発生圧より低いので、ウォーターハンマー現象により流路４４に破損が発生するのを防ぐことができる。また、この場合、圧力逃がし弁４８の付勢圧力が第１の流路４４Ａの内部の通常時の液体圧より高いので、バルブ４５が閉状態になっている通常時（ウォーターハンマー現象が発生していない時）に、圧力逃がし弁４８が開状態になって第１の流路４４Ａと第２の流路４４Ｂが開通し、液体放射口４２から液体が放射される（漏れる）のを防ぐことができる。
【００５６】
また、本実施の形態では、ハンドシャワーガン４０にウォーターハンマー低減機構を設けることによって、ウォーターハンマー現象による流路４４（本体４３の内部の流路４４、本体４３の外部の配管）へのダメージを低減することができる。
【００５７】
（変形例１）
図８には、第１の実施の形態の変形例が示される。図８に示すように、第１の実施の形態のウォーターハンマー低減機構は、アトマイザ３４に適用することもできる。すなわち、アトマイザ３４の本体４３の内部に形成される流路４４は、液体供給口４１とバルブ４５との間に形成される第１の流路４４Ａと、バルブ４５と液体放射口４２との間に形成される第２の流路４４Ｂと、バルブ４５を介さずに第１の流路４４Ａと第２の流路４４Ｂとを接続する第３の流路４４Ｃとで構成されており、第３の流路４４Ｃには、圧力逃がし弁４８が設けられる。圧力逃がし弁４８は、バルブ４５が閉状態になったときに、第１の流路４４Ａの内部で上昇した液体圧により開状態になり、第１の流路４４Ａと第２の流路４４Ｂとが開通する。
【００５８】
このように、アトマイザ３４にウォーターハンマー低減機構を設けることによって、ウォーターハンマー現象による流路４４（アトマイザ３４の内部の流路４４、アトマイザ３４の外部の配管）へのダメージを低減することができる。
【００５９】
（第２の実施の形態）
次に、本発明の第２の実施の形態のハンドシャワーガン４０について説明する。ここでは、第２の実施の形態のハンドシャワーガン４０が、第１の実施の形態と相違する点を中心に説明する。ここで特に言及しない限り、本実施の形態の構成および動作は、第１の実施の形態と同様である。
【００６０】
図９は、本実施の形態のハンドシャワーガン４０の説明図である。図９に示すように、ハンドシャワーガン４０は、バルブ４５の開閉動作に連動してスライド移動するピストン５１と、ピストン５１が収納されるシリンダ室５２を備えており、ハンドシャワーガン４０の本体４３の内部に形成される流路４４は、液体供給口４１とバルブ４５との間に形成される第１の流路４４Ａと、バルブ４５と液体放射口４２との間に形成される第２の流路４４Ｂと、第１の流路４４Ａとシリンダ室５２とを接続する第４の流路４４Ｄとで構成されている。なお、本実施の形態では、ピストン５１の外周とシリンダ室５２の内周との間に、シール部材５３が設けられている。
【００６１】
そして、本実施の形態では、ウォーターハンマー低減機構として、第４の流路４４Ｄの流体抵抗が第１の流路４４Ａの流体抵抗より大きい、という構成を採用している。例えば、第４の流路４４Ｄの流路面積を第１の流路４４Ａの流路面積より小さく設定することにより、第４の流路４４Ｄの流体抵抗を第１の流路４４Ａの流体抵抗より大きく設定することができる。また、第４の流路４４Ｄの流路長を第１の流路４４Ａの流路長より長く設定することにより、第４の流路４４Ｄの流体抵抗を第１の流路４４Ａの流体抵抗より大きく設定することができる。
【００６２】
図９に示すように、第４の流路４４Ｄには、第４の流路４４Ｄの流体抵抗を調整する流体抵抗調整部が設けられている。この場合、流体抵抗調整部として、第４の流路４４Ｄの流路面積を調整する絞り機構５４が設けられている。絞り機構５４の調整ねじ５５は、ハンドシャワーガン４０の本体４３に螺着される。本体４３と調整ねじ５５との間には、Ｏリングなどのシール部材５５０が取り付けられている。このシール部材５５０により、第４の流路４４Ｄから液体（純水）が漏れないように構成されている。また、調整ねじ５５には回り止め用スプリング５５１が取り付けられている。調整ねじ５５は、回り止め用スプリング５５１によって付勢される（図９の右方向に付勢される）ことにより、ねじの緩み（ぐらつき）が防止されている。
【００６３】
例えば、絞り機構５４の調整ねじ５５を回転させて、調整ねじ５５を絞り方向（図９における左方向）に移動させると、第４の流路４４Ｄの流路面積が小さくなり、第４の流路４４Ｄの流体抵抗が大きくなる。絞り機構５４の調整ねじ５５を逆回転させて、調整ねじ５５を反対方向（図９における右方向）に移動させると、第４の流路４４Ｄの流路面積が大きくなり、第４の流路４４Ｄの流体抵抗が小さくなる。このように、絞り機構５４で第４の流路４４Ｄの流路面積を変えることにより、第４の流路４４Ｄの流体抵抗を調整することができる。
【００６４】
また、図９に示すように、シリンダ室５２は、操作ハンドル４６が開操作されてバルブ４５が開状態になるときにピストン５１がスライド移動するためのエリアである第１のエリア５２Ａ（図９における右側のエリア）と、ピストン５１を挟んで第１エリアの反対側のエリアである第２のエリア５２Ｂ（図９における左側のエリア）とに分けられており、シリンダ室５２には、第１のエリア５２Ａと第２のエリア５２Ｂを接続する第５の流路４４Ｅが備えられている。
【００６５】
そして、第５の流路４４Ｅには、チェッキ弁５６が設けられており、チェッキ弁５６は、操作ハンドル４６が開操作されてバルブ４５が開状態になるときに、第１のエリア５２Ａの内部で上昇した液体圧により開状態になり、第１のエリア５２Ａと第２のエリア５２Ｂとが開通するように構成されている。
【００６６】
この場合、チェッキ弁５６は、スプリング５７によりボール（弁体）５８を付勢して閉状態を保持するように構成されている。スプリング５７による付勢圧力（チェッキ弁５６の解放圧力）は、シリンダ室５２の第１のエリア５２Ａの内部の通常時の液体圧より高く設定されている。すなわち、チェッキ弁５６の解放圧力は、流路４４（配管）に供給される液体（純水）の供給圧力より高く設定されている。
【００６７】
図１０は、操作ハンドル４６を開操作した状態のハンドシャワーガン４０の説明図であり、図１１は、操作ハンドル４６を閉操作した状態のハンドシャワーガン４０の説明図である。図１０に示すように、操作ハンドル４６が開操作されてバルブ４５が開状態になると、流路４４が開通して液体放射口４２からの液体（純水）の放射が行われる。
【００６８】
この場合、操作ハンドル４６を開操作してバルブ４５を開状態にするときに、シリンダ室５２の第１のエリア５２Ａの内部の上昇した液体圧により、ボール（弁体）５８がスプリング５７の付勢圧力に抗して開方向（図１０における上方向）に移動し、チェッキ弁５６が開状態になり、第１のエリア５２Ａと第２のエリア５２Ｂが第５の流路４４Ｅを介して開通するので、ピストン５１を円滑にスライド移動させることが可能になる。なお、その後、シリンダ室５２の第１のエリア５２Ａの内部の液体圧が低下すると、ボール（弁体）５８がスプリング５７の付勢圧力により閉方向（図１０における下方向）に移動して、チェッキ弁５６が閉状態になる。
【００６９】
図１１に示すように、操作ハンドル４６が閉操作されてバルブ４５が閉状態になると、流路４４が閉塞して液体放射口４２からの液体（純水）の放射が停止される。この場合、操作ハンドル４６が閉操作されてバルブ４５が閉状態になるときに、ピストン５１のスライド移動に伴って第４の流路４４Ｄからシリンダ室５２（第１のエリア５２Ａ）へ液体が流入することになるが、第４の流路４４Ｄの流体抵抗が第１の流路４４Ａの流体抵抗より大きいので、シリンダ室５２（第１のエリア５２Ａ）へ液体が流入する速度（単位時間あたりの流入量）が小さくなる。そのため、ピストン５１のスライド移動の速度も小さくなり、バルブ４５が閉まる速度も小さくなる。すなわち、バルブ４５がゆっくり閉まるようにされている。
【００７０】
このような本発明の第２の実施の形態のハンドシャワーガン４０によっても、第１の実施の形態と同様の作用効果が奏される。すなわち、ウォーターハンマー現象によるハンドシャワーガン４０の流路４４（本体４３の内部の流路４４、本体４３の外部の配管）へのダメージを低減することができ、長寿命化を図ることができる。
【００７１】
本実施の形態では、操作ハンドル４６が閉操作されてバルブ４５が閉状態になるときに、ピストン５１のスライド移動に伴って第４の流路４４Ｄからシリンダ室５２（第１のエリア５２Ａ）へ液体が流入することになるが、この場合、第４の流路４４Ｄの流体抵抗が第１の流路４４Ａの流体抵抗より大きいので、シリンダ室５２（第１のエリア５２Ａ）へ液体が流入する速度（単位時間あたりの流入量）が小さくなる。そのため、ピストン５１のスライド移動の速度も小さくなり、バルブ４５が閉まる速度も小さくなる。このように、バルブ４５の閉まる速度を小さくすることにより、バルブ４５が閉状態になったときに第１の流路４４Ａの内部の液体圧が過度に上昇するのを防ぐことができる。これにより、ウォーターハンマー現象による流路４４（本体４３の内部の流路４４、本体４３の外部の配管）へのダメージを低減することができる。
【００７２】
また、本実施の形態では、第４の流路４４Ｄの流体抵抗を調整することができるので、シリンダ５１の移動速度（すなわち、バルブ４５の閉まる速度）を適切に調整することが可能になる。
【００７３】
また、本実施の形態では、操作ハンドル４６を開操作してバルブ４５を開状態にするときに、シリンダ室５２の第１のエリア５２Ａの内部の上昇した液体圧によりチェッキ弁５６が開状態になり、第１のエリア５２Ａと第２のエリア５２Ｂが第５の流路４４Ｅを介して開通し、第１のエリア５２Ａから第２のエリア５２Ｂへ液体が移動できるようになる。これにより、ピストン５１のスライド移動が液体圧により妨げられることがなくなり、ピストン５１を円滑にスライド移動させることができるようになる。したがって、操作ハンドル４６の開操作を円滑に行うことが可能になる。
【００７４】
（変形例２）
図１２には、第２の実施の形態の変形例が示される。図１２に示すように、第２の実施の形態のウォーターハンマー低減機構は、アトマイザ３４に適用することもできる。すなわち、アトマイザ３４は、バルブ４５の開閉動作に連動してスライド移動するピストン５１と、ピストン５１が収納されるシリンダ室５２を備えており、アトマイザ３４の本体４３の内部に形成される流路４４は、液体供給口４１とバルブ４５との間に形成される第１の流路４４Ａと、バルブ４５と液体放射口４２との間に形成される第２の流路４４Ｂと、第１の流路４４Ａとシリンダ室５２とを接続する第４の流路４４Ｄとで構成されている。そして、ウォーターハンマー低減機構として、第４の流路４４Ｄの流体抵抗が第１の流路４４Ａの流体抵抗より大きい、という構成が採用されている。
【００７５】
このように、アトマイザ３４にウォーターハンマー低減機構を設けることによって、ウォーターハンマー現象による流路４４（アトマイザ３４の内部の流路４４、アトマイザ３４の外部の配管）へのダメージを低減することができる。
【００７６】
（第３の実施の形態）
次に、本発明の第３の実施の形態のハンドシャワーガン４０について説明する。ここでは、第３の実施の形態のハンドシャワーガン４０が、第２の実施の形態と相違する点を中心に説明する。ここで特に言及しない限り、本実施の形態の構成および動作は、第２の実施の形態と同様である。
【００７７】
図１３は、本実施の形態のハンドシャワーガン４０の説明図である。図１３に示すように、ハンドシャワーガン４０は、バルブ４５の開閉動作に連動してスライド移動するピストン５１と、ピストン５１が収納されるシリンダ室５２を備えており、ハンドシャワーガン４０の本体４３の内部に形成される流路４４は、液体供給口４１とバルブ４５との間に形成される第１の流路４４Ａと、バルブ４５と液体放射口４２との間に形成される第２の流路４４Ｂと、第１の流路４４Ａとシリンダ室５２とを接続する第４の流路４４Ｄとで構成されている。本実施の形態では、ピストン５１の外周とシリンダ室５２の内周との間に、隙間が設けられており、この隙間により、第４の流路４４Ｄが形成されている。
【００７８】
そして、本実施の形態でも、ウォーターハンマー低減機構として、第４の流路４４Ｄの流体抵抗が第１の流路４４Ａの流体抵抗より大きい、という構成を採用している。例えば、第４の流路４４Ｄの流路面積を第１の流路４４Ａの流路面積より小さく設定することにより、第４の流路４４Ｄの流体抵抗を第１の流路４４Ａの流体抵抗より大きく設定することができる。
【００７９】
また、図１３に示すように、シリンダ室５２は、操作ハンドル４６が開操作されてバルブ４５が開状態になるときにピストン５１がスライド移動するためのエリアである第１のエリア５２Ａ（図１３における右側のエリア）と、ピストン５１を挟んで第１エリアの反対側のエリアである第２のエリア５２Ｂ（図１３における左側のエリア）とに分けられており、シリンダ室５２には、第１のエリア５２Ａと第２のエリア５２Ｂを接続する第５の流路４４Ｅが備えられている。
【００８０】
そして、第２の実施の形態と同様、第５の流路４４Ｅには、チェッキ弁５６が設けられており、チェッキ弁５６は、操作ハンドル４６が開操作されてバルブ４５が開状態になるときに、第１のエリア５２Ａの内部で上昇した液体圧により開状態になり、第１のエリア５２Ａと第２のエリア５２Ｂとが開通するように構成されている。
【００８１】
この場合も、チェッキ弁５６は、スプリング５７によりボール（弁体）５８を付勢して閉状態を保持するように構成されている。スプリング５７による付勢圧力（チェッキ弁５６の解放圧力）は、シリンダ室５２の第１のエリア５２Ａの内部の通常時の液体圧より高く設定されている。すなわち、チェッキ弁５６の解放圧力は、流路４４（配管）に供給される液体（純水）の供給圧力より高く設定されている。
【００８２】
図１４は、操作ハンドル４６を開操作した状態のハンドシャワーガン４０の説明図であり、図１５は、操作ハンドル４６を閉操作した状態のハンドシャワーガン４０の説明図である。図１４に示すように、操作ハンドル４６が開操作されてバルブ４５が開状態になると、流路４４が開通して液体放射口４２からの液体（純水）の放射が行われる。
【００８３】
この場合も、操作ハンドル４６を開操作してバルブ４５を開状態にするときに、シリンダ室５２の第１のエリア５２Ａの内部の上昇した液体圧により、ボール（弁体）５８がスプリング５７の付勢圧力に抗して開方向（図１４における上方向）に移動し、チェッキ弁５６が開状態になり、第１のエリア５２Ａと第２のエリア５２Ｂが第５の流路４４Ｅを介して開通するので、ピストン５１を円滑にスライド移動させることが可能になる。なお、その後、シリンダ室５２の第１のエリア５２Ａの内部の液体圧が低下すると、ボール（弁体）５８がスプリング５７の付勢圧力により閉方向（図１４における下方向）に移動して、チェッキ弁５６が閉状態になる。
【００８４】
図１５に示すように、操作ハンドル４６が閉操作されてバルブ４５が閉状態になると、流路４４が閉塞して液体放射口４２からの液体（純水）の放射が停止される。この場合、操作ハンドル４６が閉操作されてバルブ４５が閉状態になるときに、ピストン５１のスライド移動に伴って第４の流路４４Ｄからシリンダ室５２（第１のエリア５２Ａ）へ液体が流入することになるが、第４の流路４４Ｄの流体抵抗が第１の流路４４Ａの流体抵抗より大きいので、シリンダ室５２（第１のエリア５２Ａ）へ液体が流入する速度（単位時間あたりの流入量）が小さくなる。そのため、ピストン５１のスライド移動の速度も小さくなり、バルブ４５が閉まる速度も小さくなる。すなわち、バルブ４５がゆっくり閉まるようにされている。
【００８５】
このような本発明の第３の実施の形態のハンドシャワーガン４０によっても、第２の実施の形態と同様の作用効果が奏される。すなわち、ウォーターハンマー現象によるハンドシャワーガン４０の流路４４（本体４３の内部の流路４４、本体４３の外部の配管）へのダメージを低減することができ、長寿命化を図ることができる。
【００８６】
（変形例３）
図１６には、第３の実施の形態の変形例が示される。図１６に示すように、第３の実施の形態のウォーターハンマー低減機構は、アトマイザ３４に適用することもできる。すなわち、アトマイザ３４は、バルブ４５の開閉動作に連動してスライド移動するピストン５１と、ピストン５１が収納されるシリンダ室５２を備えており、ハンドシャワーガン４０の本体４３の内部に形成される流路４４は、液体供給口４１とバルブ４５との間に形成される第１の流路４４Ａと、バルブ４５と液体放射口４２との間に形成される第２の流路４４Ｂと、第１の流路４４Ａとシリンダ室５２とを接続する第４の流路４４Ｄとで構成されている。この場合も、ピストン５１の外周とシリンダ室５２の内周との間に、隙間が設けられており、この隙間により、第４の流路４４Ｄが形成されている。そして、ウォーターハンマー低減機構として、第４の流路４４Ｄの流体抵抗が第１の流路４４Ａの流体抵抗より大きい、という構成が採用されている。
【００８７】
このように、アトマイザ３４にウォーターハンマー低減機構を設けることによって、ウォーターハンマー現象による流路４４（アトマイザ３４の内部の流路４４、アトマイザ３４の外部の配管）へのダメージを低減することができる。
【００８８】
以上、本発明の実施の形態を例示により説明したが、本発明の範囲はこれらに限定されるものではなく、請求項に記載された範囲内において目的に応じて変更・変形することが可能である。
【産業上の利用可能性】
【００８９】
以上のように、本発明にかかるハンドシャワーガンは、ウォーターハンマー現象によるダメージを低減することができるという効果を有し、基板処理装置（例えば基板研磨装置）などに適用され有用である。
【符号の説明】
【００９０】
１  ハウジング
３  研磨部
４  洗浄部
５  制御部
３４  アトマイザ
４０  ハンドシャワーガン
４１  液体供給口
４２  液体放射口
４３  本体
４４  流路
４４Ａ  第１の流路
４４Ｂ  第２の流路
４４Ｃ  第３の流路
４４Ｄ  第４の流路
４４Ｅ  第５の流路
４５  バルブ
４６  操作ハンドル
４７  液体供給チューブ
４８  圧力逃がし弁
５１  ピストン
５２  シリンダ室
５２Ａ  第１のエリア
５２Ｂ  第２のエリア
５４  絞り機構（流体抵抗調整部）
５５  調整ねじ
５６  チェッキ弁
【図１】
0006505474.tif 000002
【図２】
0006505474.tif 000003
【図３】
0006505474.tif 000004
【図４】
0006505474.tif 000005
【図５】
0006505474.tif 000006
【図６】
0006505474.tif 000007
【図７】
0006505474.tif 000008
【図８】
0006505474.tif 000009
【図９】
0006505474.tif 000010
【図１０】
0006505474.tif 000011
【図１１】
0006505474.tif 000012
【図１２】
0006505474.tif 000013
【図１３】
0006505474.tif 000014
【図１４】
0006505474.tif 000015
【図１５】
0006505474.tif 000016
【図１６】
0006505474.tif 000017